(57)【要約】【課題】定着装置の立ち上げ終了後直ちに印字処理を開始する場合に、定着不良や生産性低下を招くことなく、蓄電装置の電力を有効に利用して第二発熱体を発熱させること。【解決手段】画像形成装置に、商用電源から電力を取得して発熱する第一発熱体、蓄電装置に蓄電された電力を取得して発熱する第二発熱体、および前記２つの発熱体により加熱される定着ローラとを備える定着装置と、前記定着装置の立ち上げ完了後に前記定着装置にエージング動作をさせるエージング動作制御手段と、前記エージング動作の時間を計時する計時手段と、前記エージング動作制御手段により前記エージング動作が完全に行なわれずに印字処理が開始された場合、前記計時手段により計時された前記エージング動作の時間に対応させて予め定められた電力量だけ前記第二発熱体を発熱させる発熱制御手段とを備える。【選択図】図３
2008122653.tif 000002
【特許請求の範囲】
【請求項１】
商用電源の電力を蓄電する蓄電装置と、
商用電源から電力を取得して発熱する第一発熱体、前記蓄電装置に蓄電された電力を取得して発熱する第二発熱体、および前記２つの発熱体により加熱される定着ローラを備える定着装置と、
前記定着装置の立ち上げ完了後に前記定着装置にエージング動作をさせるエージング動作制御手段と、
前記エージング動作の時間を計時する計時手段と、
前記エージング動作制御手段により前記エージング動作が完全に行なわれずに印字処理が開始された場合、前記計時手段により計時された前記エージング動作の時間に対応させて予め定められた電力量だけ前記第二発熱体を発熱させる発熱制御手段とを備える画像形成装置。
【請求項２】
前記発熱制御手段は、前記エージング動作が全く行なわれなかった場合における前記第二発熱体の発熱を、前記印字処理の開始から予め定められた時間で行なうものであり、
前記計時手段により計時されたエージング動作時間を、前記エージング動作の完了に必要な予め定められている時間から差し引いた差引時間に対応する時間分で前記第二発熱体を発熱させる請求項１記載の画像形成装置。
【請求項３】
前記発熱制御手段は、前記印字処理において、前記定着装置の立ち上げ直後の印字動作時における前記定着ローラの温度を一定温度範囲に保つための制御を、前記第一発熱体を発熱させて当該第一発熱体の発熱電力を変化させ、前記第二発熱体を発熱させる発熱電力は一定電力にすることで行なう請求項１または２記載の画像形成装置。
【請求項４】
前記発熱制御手段は、印字処理の回数に拘わらず、全印字処理の累積時間が、前記第二発熱体の発熱時間に到達するまでの間、各印字処理中も前記第二発熱体を発熱させておき、当該累積時間が前記第二発熱体の発熱時間に到達した時点で、いずれかの印刷処理の途中であっても前記第二発熱体を発熱停止させる請求項２記載の画像形成装置。
【請求項５】
前記定着ローラの温度を検出する温度検出手段を備え、
前記発熱制御手段は、前記予め定められた電力量だけ前記発熱制御手段により前記第二発熱体が発熱され終わった後の印字処理において、前記温度検出手段の検出温度が前記一定温度範囲よりも低下する温度低下状態となったとき、予め定められた追加発熱時間だけ、更に前記第二発熱体を発熱させる請求項３記載の画像形成装置。
【発明の詳細な説明】
【技術分野】
【０００１】
本発明は、商用電源の電力を蓄電する蓄電装置と、商用電源から電力を取得して定着処理用の熱を発生する第一発熱体、前記蓄電装置に蓄電された電力を取得して定着処理用の熱を発生する第二発熱体、および前記２つの発熱体により加熱される定着ローラを備える定着装置とを有する画像形成装置に関する。
【背景技術】
【０００２】
従来より、コピー機、プリンタ、ファックス、あるいはいわゆる複合機といった画像形成装置が用いられている。
【０００３】
画像形成装置には、商用電源の電力を蓄電する蓄電装置と、商用電源の電力を取得して定着処理用の熱を発生する第一発熱体、および前記蓄電装置に蓄電された電力を取得して定着処理用の熱を発生する第二発熱体とを有した定着装置が設けられる。そして、画像形成装置に電源が投入された直後や、省電力モードから通常の運転モードへ画像形成装置が運転モードを復帰させた直後に定着装置の立ち上げを行なう場合など、定着装置において短時間で大量の定着処理用の熱を発生させたいときに第一発熱体と共に第二発熱体を同時に発熱させることがされる（特許文献１〜４参照）。
【０００４】
ここで、かかる画像形成装置では、定着装置が立ち上げられた後であっても、第一発熱体および第二発熱体により加熱される熱ローラは、立ち上げ直後には、熱が十分に全体に行き渡っておらず、表面に温度ムラがあり、立ち上げの直後に印字がされるときには、かかる温度ムラのために、熱ローラの温度に落ち込みが生じて定着不良が生じることがある。かかる事態を回避するために、定着装置では、立ち上げに際して加熱された熱ローラの熱が十分に全体に行き渡るように、立ち上げの直後に、第一発熱体を発熱させつつローラを回して熱を熱ローラになじませるエージング動作がされる。また、エージング動作を終了せずに行なわれる立ち上げの直後の印字では、第一発熱体と共に第二発熱体を発熱させることが一定時間、行なわれる。
【特許文献１】特開２００２−１８４５５４号公報
【特許文献２】特開２００４−０７００１１号公報
【特許文献３】特開２００４−２９６１６６号公報
【特許文献４】特開２００５−１６６６３３号公報
【発明の開示】
【発明が解決しようとする課題】
【０００５】
しかしながら、従来技術では、立ち上げ後すぐに印字処理が開始される場合、エージング動作時間の長短にかかわらず第二発熱体の発熱が一定とされていたため、発熱を過剰にさせてしまったり発熱が不足してしまったりしていた。たとえば、立ち上げ後のエージング動作により熱ローラに熱がかなりなじんだ状態で印字処理が開始されるにも拘わらず、不必要に長時間、第二発熱体の発熱をさせてしまったり、あるいは逆に、立ち上げから殆ど時間がたたずにエージング動作が殆どできていないときに印字処理が開始され、発熱を長時間させ過ぎてしまったりすることがあった。
【０００６】
かかる事態は、発熱が多すぎる場合には、蓄電装置の電力を無駄に消費してしまうものであるし、また、逆に、発熱が少なすぎる場合には、定着不良を生じたり、あるいは定着装置へ単位時間当たりに通紙する記録紙の枚数を減らして生産性を低下させることを余儀なくするものである。
【０００７】
本発明は、以上の点に鑑みてされたものであり、定着装置の立ち上げ終了後直ちに印字処理を開始する場合に、定着不良や生産性低下を招くことなく、蓄電装置の電力を有効に利用して第二発熱体を発熱させることができるようすることを目的とする。
【課題を解決するための手段】
【０００８】
請求項１記載の発明は、商用電源の電力を蓄電する蓄電装置と、商用電源から電力を取得して発熱する第一発熱体、前記蓄電装置に蓄電された電力を取得して発熱する第二発熱体、および前記２つの発熱体により加熱される定着ローラを備える定着装置と、前記定着装置の立ち上げ完了後に前記定着装置にエージング動作をさせるエージング動作制御手段と、前記エージング動作の時間を計時する計時手段と、前記エージング動作制御手段により前記エージング動作が完全に行なわれずに印字処理が開始された場合、前記計時手段により計時された前記エージング動作の時間に対応させて予め定められた電力量だけ前記第二発熱体を発熱させる発熱制御手段とを備える画像形成装置である。
【０００９】
この構成にすると、定着装置の立ち上げ完了後のエージング動作の時間の長さが計時されて、前記エージング動作制御手段により前記エージング動作が完全に行なわれずに印字処理が開始された場合に、計時された時間の長さに対応させて予め定められた電力量だけ第二発熱体の発熱がされるので、定着装置の立ち上げ終了後直ちに印字処理を開始する場合に、定着不良や生産性低下を招くことなく、蓄電装置の電力を有効に利用して第二発熱体を発熱させることができる。
【００１０】
定着ローラは、たとえば、熱ローラと、定着ローラと対向して設けられて定着ローラとの間に記録紙が通紙される圧ローラとからなる。
【００１１】
前記エージング動作とは、例えば、被加熱体を回転駆動等させる動作であり、定着ローラの相対的に温度が低い部分の温度を当該部分以外の他の相対的に温度が高い部分に近い温度に昇温させて、定着ローラの温度を一様化させるものである。
【００１２】
請求項２記載の発明は、前記発熱制御手段は、前記エージング動作が全く行なわれなかった場合における前記第二発熱体の発熱を、前記印字処理の開始から予め定められた時間で行なうものであり、前記計時手段により計時されたエージング動作時間を、前記エージング動作の完了に必要な予め定められている時間から差し引いた差引時間に対応する時間分で前記第二発熱体を発熱させる請求項１記載の画像形成装置である。
【００１３】
この構成にすれば、第二発熱体を発熱させる時間を変化させて、適切な電力量を第二発熱体で発熱させて、蓄電装置から第二発熱体に供給する電力を一定にできる。
【００１４】
請求項３記載の発明は、前記発熱制御手段は、前記印字処理において、前記定着装置の立ち上げ直後の印字動作時における前記定着ローラの温度を一定温度範囲に保つための制御を、前記第一発熱体を発熱させて当該第一発熱体の発熱電力を変化させ、前記第二発熱体を発熱させる発熱電力は一定電力にすることで行なう請求項１または２記載の画像形成装置である。
【００１５】
この構成にすれば、前記第二発熱体は一定電力により発熱されるので、第二発熱体の発熱制御を簡単にできる。
【００１６】
請求項４記載の発明は、前記発熱制御手段は、印字処理の回数に拘わらず、全印字処理の累積時間が、前記第二発熱体の発熱時間に到達するまでの間、各印字処理中も前記第二発熱体を発熱させておき、当該累積時間が前記第二発熱体の発熱時間に到達した時点で、いずれかの印刷処理の途中であっても前記第二発熱体を発熱停止させる請求項２記載の画像形成装置である。
【００１７】
この構成にすれば、印字処理の累積時間（トータル時間）が上記第二発熱体の発熱時間に到達するまでの間、２回目目以降の印字処理でも第二発熱体が発熱され、定着ローラ表面の温度ムラを解消させることができる。
【００１８】
請求項５記載の発明は、前記定着ローラの温度を検出する温度検出手段を備え、前記発熱制御手段は、前記予め定められた電力量だけ前記発熱制御手段により前記第二発熱体が発熱され終わった後の印字処理において、前記温度検出手段の検出温度が前記一定温度範囲よりも低下する温度低下状態となったとき、予め定められた追加発熱時間だけ、更に前記第二発熱体を発熱させる請求項３記載の画像形成装置である。
【００１９】
この構成にすれば、たとえば、商用電源が第一発熱体に供給する電圧のレベルが低下した場合や、画像形成装置の動作保障温度よりも低い温度の環境で画像形成装置が動作されており定着ローラの周囲温度が低い場合や、何らかの理由で定着ローラの温度が特別に低くなっていた場合や、あるいは、蓄電装置の蓄電能力が劣化していて蓄電装置の出力が低下している場合などに、予め定められた電力量だけ前記第二発熱体の発熱がされ終わった後であっても、ムラが定着ローラの温度低下状態を生じさせると、更に追加発熱時間だけ第二発熱体を発熱させて、温度低下状態を解消して、適切に定着処理をすることができる。
【発明の効果】
【００２０】
本発明によれば、定着装置の立ち上げ終了後直ちに印字処理を開始する場合に、定着不良や生産性低下を招くことなく、蓄電装置の電力を有効に利用して第二発熱体を発熱させることができる。
【発明を実施するための最良の形態】
【００２１】
以下、本発明の一実施形態に係る複写機１について、図面を参照して説明する。
【００２２】
図１は、複写機１の全体を示した図である。
【００２３】
複写機１は、特許請求の範囲記載の「画像形成装置」の一例である。
【００２４】
複写機１は、ユーザ操作を受け付ける操作パネル１５と、画像形成を行なう記録紙Ｐを積載する給紙装置１１と、給紙装置１１から記録紙Ｐが搬入され、搬入される記録紙を搬送する記録紙搬送経路１２と、この記録紙搬送経路１２の途中に設けられ、搬送される記録紙Ｐにトナー像を形成する、感光体ドラム等を備える画像形成部１３と、同じく記録紙搬送経路１２の、画像形成部１３よりも下流側に設けられて、トナー像が形成された記録紙Ｐに熱を与えて、トナー像を記録紙Ｐへ定着させる定着装置１００と、トナー像の定着がこの定着装置１００でされた記録紙Ｐが搬送経路１２から排出される排出部１４と、これら複写機１の各部の動作を制御する制御部２００とを備える。
【００２５】
定着装置１００は、特許請求の範囲記載の「定着装置」の一例である。
【００２６】
図２は、定着装置１００に関係する構成を中心に示した複写機１のブロック図である。
【００２７】
複写機１は、前述した、定着装置１００の動作制御をする制御部２００と、商用電源の電力を蓄電し、予め蓄電された電力により商用電源の定格電力に拘わらずに商用電源と共に定着装置１００への電力供給をする補助電源装置３００とを備える。
【００２８】
ここに、補助電源装置３００は、特許請求の範囲の記載における「蓄電装置」の一例である。また、補助電源装置３００および定着装置１００へ電力を供給する上述の商用電源は、特許請求の範囲記載の「商用電源」の一例を構成する。
【００２９】
補助電源装置３００は、大容量キャパシタを直列に接続して構成した蓄電装置や、商用電源から電力を取得し、蓄電装置を充電する充電装置、蓄電装置の電力を定着装置１００へ放電させて、定着装置１００へ直流電力を供給する放電装置などによって構成される。
【００３０】
定着装置１００は、商用電源から取得する電力により発熱する主発熱体１１０ａと、補助電源装置３００から取得する電力により発熱する補助発熱体１１０ｂと、これらの発熱体１１０ａ，１１０ｂにより加熱され、搬送経路１２により定着装置１００へと通紙される記録紙Ｐ（図１参照）に定着処理を施す定着ローラ１０１（図１参照）と、定着ローラ１０１の温度を検出する温度センサ１０１ｔと、定着装置１００への記録紙Ｐの通紙に合わせて定着ローラ１０１を駆動させる駆動部１０１ｄとを備える。
【００３１】
ここに、主発熱体１１０ａおよび補助発熱体１１０ｂは、それぞれ、特許請求の範囲に記載した「第一発熱体」および「第二発熱体」の一例である。また、定着ローラ１０１は、特許請求の範囲に記載した「定着ローラ」の一例である。また、温度センサ１０１ｔは、特許請求の範囲に記載した「温度検出手段」の一例である。
【００３２】
ここに、発熱体１１０ａ，１１０ｂは、たとえば定着ローラ１０１の内部に設けたハロゲンヒータとして構成される。そして、補助発熱体１１０ｂは、通常時には発熱されないが、複写機１が省電力モードから通常の運転モードへ復帰される場合や、複写機１に電源が投入された場合などに、室温等の低い温度になった定着ローラ１０１へ短い時間に大量の熱を与え、急速に定着装置１００の立ち上げをするときに、補助電源装置３００により主発熱体１１０ａと共に発熱される。
【００３３】
駆動部１０１ｄの少なくとも一部は、前述した搬送経路１２の、たとえば記録紙搬送用モータなどの構成物を含んでいてもよい。
【００３４】
温度センサ１０１ｔは、たとえば、サーミスタ、赤外線センサ、熱電対などにより構成される。
【００３５】
制御部２００は、情報処理回路であり、ここでは、ＣＰＵ、ＲＯＭ、ＲＡＭによって構成されたコンピュータであるものとする。ここに、ＣＰＵ、ＲＯＭ、ＲＡＭには、たとえば、パーソナルコンピュータに用いる汎用品を用いる。
【００３６】
制御部２００は、ＲＯＭに格納したソフトウェアを実行することにより、立ち上げ制御部２１０と、印字処理制御部２２０と、エージング動作制御部２３０と、印字中発熱制御部２４０との機能ブロックの機能を実現する。また、印字中発熱制御部２４０の機能には、印字中発熱制御部２４０の内部に図示した、エージング時間計時部２４１と、発熱必要時間記憶部２４２と、発熱実行済み時間計時タイマ２４３と、補正部２４２ｃとの各機能ブロックの機能が含まれ、これらの機能を用いて印字中発熱制御部２４０の機能は構成される。
【００３７】
図２において、各機能ブロックに接続された破線は、各機能ブロックに入出力される情報ないしデータの流れを示すものである。各機能ブロックから外側へ向かう矢印は、当該機能ブロックの機能により生成された情報ないしデータが、制御部２００の他の機能ブロックの機能や、あるいは制御部２００以外の複写機１の構成のいずれかへと出力されて、それらによって用いられることを示している。また、各機能ブロックへと外側から入る矢印は、当該機能ブロックの他の機能ブロックの機能等により生成等された情報ないしデータ等が、当該機能ブロックの機能により処理されることを示している。
【００３８】
立ち上げ制御部２１０は、主発熱体１１０ａおよび補助発熱体１１０ｂの両者を発熱させて、定着装置１００を立ち上げさせ、定着装置１００における立ち上げ処理を制御する。前述の通り、立ち上げ制御部２１０が定着装置１００を立ち上げさせるのは、複写機１の電源投入時等である。立ち上げ制御部２１０は、商用電源と、定着装置１００の主発熱体１１０ａとの間に設けられたスイッチＳｗＡをオン状態にさせることで主発熱体１１０ａを発熱させることができ、また、補助電源装置３００と補助発熱体１１０ｂとの間にあるスイッチＳｗＢをオン状態にさせることで補助発熱体１１０ｂを発熱させることができる。
【００３９】
なお、この立ち上げ制御部２１０からスイッチＳｗＡ，ＳｗＢへの制御信号の流れを示す線をはじめ、図２では、各構成の間の情報、データないし信号の流れを示す線（上述の破線）を、説明の便宜上から適宜、図示を省略するものとしている。
【００４０】
この立ち上げ制御部２１０以外の制御部２００の他の機能ブロックも、発熱体１１０ａ，１１０ｂの発熱制御を行なうときには、上述の場合と同様、スイッチＳｗＡ，ＳｗＢを制御することにより制御を行なうことができる。
【００４１】
立ち上げ制御部２１０は、こうして主発熱体１１０ａおよび補助発熱体１１０ｂを発熱させて定着ローラ１０１を加熱することにより、定着ローラ１０１の温度を、定着装置１００に通紙される記録紙Ｐの定着処理を実行できる温度（以下、定着可能温度）まで上昇させる。
【００４２】
図３は、複写機１の動作タイミングを示すタイミングチャートである。以下では、このタイミングチャートを参照して、立ち上げ制御部２１０等、制御部２００の各機能ブロックの機能が用いられるタイミングを示しながら、各機能ブロックの機能を説明する。
【００４３】
図３に示す複写機１において、タイミングＴ１〜Ｔ２は、立ち上げ制御部２１０が定着装置１００の立ち上げ処理を行なう期間を示している。タイミングＴ１までは複写機１は停止しているが（図３（ａ））、タイミングＴ１で操作パネル１５に入力された指示に基づいて、立ち上げ制御部２１０は、タイミングＴ１〜Ｔ２で、定着装置１００を立ち上げさせる。このため、立ち上げ制御部２１０は、このタイミングＴ１〜Ｔ２において、図３（ｂ）に示すように、商用電源から定着装置１００への電力供給をさせて主発熱体１１０ａを発熱させ、また、図３（ｃ）に示すように、補助電源装置３００から定着装置１００へも電力供給をさせて、補助発熱体１１０ｂも共に発熱させる。
【００４４】
エージング動作制御部２３０は、特許請求の範囲記載の「エージング動作制御手段」の一例を構成する。
【００４５】
エージング動作制御部２３０は、立ち上げ制御部２１０による定着装置１００の上述した立ち上げが完了して定着ローラ１０１が定着可能温度に昇温された後に（タイミングＴ２）、定着装置１００にエージング動作をさせる。
【００４６】
エージング動作制御部２３０は、このエージング動作において、定着装置１００に、主発熱体１１０ａの発熱をさせる。このため、エージング動作制御部２３０は、定着装置１００にエージング動作をさせるに際して、スイッチＳｗＡをオン状態にさせ、図３（ｂ）のタイミングＴ２〜Ｔ３に示したように、商用電源から定着装置１００に電力供給をさせる。
【００４７】
また、エージング動作制御部２３０は、このエージング動作において、主発熱体１１０ａの発熱と同時に、駆動部１０１ｄにより定着ローラ１０１を駆動させる。
【００４８】
なお、図３（ｂ）では、エージング動作制御部２３０がタイミングＴ２〜Ｔ３に商用電源から定着装置１００へ供給させる電力の方が、タイミングＴ１〜Ｔ２で立ち上げ制御部２１０が商用電源から定着装置１００へ供給させる電力より小さいことを示しているが、制御部２００の各機能ブロックは、それぞれ、たとえばパルス幅変調方式で、商用電力から定着装置１００、および補助電源装置３００から定着装置１００への供給電力の大きさをそれぞれ制御することができるものとする。
【００４９】
ここで、立ち上げ制御部２１０が定着装置１００の立ち上げをして、定着ローラ１０１を定着可能温度にさせた後（タイミングＴ２）、必ずしも、定着ローラ１０１は全体が一様な温度になっていず、個別の各箇所をみると定着可能温度になっていない箇所があり、つまり温度ムラがある。
【００５０】
かかる温度ムラは、エージング動作制御部２３０により、主発熱体１１０ａが発熱されると共に駆動部１０１ｄにより定着ローラ１０１が駆動されて定着装置１００でエージング動作が実行されているうちに減少する（タイミングＴ２〜Ｔ３）。
【００５１】
定着ローラ１０１が適切に定着処理をできるまで温度ムラが減少するまでのエージング動作の時間を、エージング所要時間と呼ぶこととする。
【００５２】
以下では、かかるエージング所要時間は、３０秒であるものとして説明を行なう。
【００５３】
印字処理制御部２２０（図１）は、操作パネル１５でのユーザ操作に応じて複写機１に記録紙への印字処理を実行させる。印字処理とは、具体的には、給紙装置１１の記録紙Ｐを搬送経路１２に搬入させ、画像形成部１３に記録紙Ｐへトナー像を形成させる処理を、定着装置１００にトナー像を記録紙Ｐへ定着させる処理をそれぞれ実行させて、画像が印字された記録紙Ｐを搬送経路１２に排出部１４へ排出させる処理である。
【００５４】
エージング動作制御部２３０は、定着装置１００が立ち上げられた後（タイミングＴ２以降）、上述したエージング所要時間（３０秒）まで完了するまでに、印字処理制御部２２０がかかる印字処理を開始させると、実行中のエージング動作を中断させ、途中で中止する。
【００５５】
エージング動作制御部２３０は、立ち上げ制御部２１０から定着装置１００の立ち上げを完了したことを示す立ち上げ完了信号を取得し、また、印字処理制御部２２０から印字処理を開始させたことを示す印字処理開始信号を取得し、立ち上げ完了信号を取得すると定着装置１００のエージング動作を開始させると共に、その後に、印字処理開始信号を取得したときに、エージング動作を停止させる。
【００５６】
印字処理制御部２２０は、エージング動作制御部２３０が、定着装置１００にエージング動作をさせている途中でも、印字処理を開始させることができる。
【００５７】
図３においては、図３（ｂ）および（ｃ）において、エージング動作の開始からＴ秒後（Ｔ≦３０）のタイミングＴ３で、印字処理制御部２２０が印字処理を開始させたときの様子を示している。
【００５８】
エージング動作制御部２３０により定着装置１００でエージング動作が開始されてから（タイミングＴ２）、エージング所要時間（３０秒）が経過し、または、印字処理制御部２２０により印字処理が開始されて、エージング動作がエージング動作制御部２３０により停止されるまでのこの時間、Ｔ秒を、以下、実行エージング時間と呼ぶこととする。
【００５９】
エージング所要時間（３０秒）は、特許請求の範囲に記載した「前記エージング動作の完了に必要な予め定められている時間」の一例である。
【００６０】
印字中発熱制御部２４０は、特許請求の範囲に記載した「発熱制御手段」の一例である
エージング動作制御部２３０が、エージング動作を中断させた場合、つまり、実行エージング時間Ｔ秒が、Ｔ＜３０であるときには、エージング動作が中断した図３（ｂ）のタイミングＴ３では、定着ローラ１０１の温度ムラが完全には解消していない。つまり、先述のエージング所要時間（３０秒）までエージングが続けば、温度ムラは完全に解消するものの、エージングが中断すると、実行エージング時間（Ｔ秒）の分しか温度ムラを解消できていず、実行不能だったエージング動作の時間３０−Ｔ秒分は、温度ムラが残っており、換言すれば、エージング所要時間（３０秒）までエージングすれば完全に解消される温度ムラ全体のうちで、実行不能エージング時間３０―Ｔ秒分が残っているのだから、割合として、温度ムラ全体を１とすれば、残り温度ムラは、（３０−Ｔ）／３０だけ残っていることとなる。
【００６１】
エージング時間計時部２４１は、実行エージング時間（図３のタイミングＴ２〜Ｔ３）を計時する。
【００６２】
エージング時間計時部２４１は、特許請求の範囲に記載した「計時手段」の一例である。エージング時間計時部２４１により計時される実行エージング時間は、特許請求の範囲に記載した「前記エージング動作の時間」の一例である。
【００６３】
エージング時間計時部２４１は、立ち上げ制御部２１０から立ち上げ完了信号を取得し、また、印字処理制御部２２０から、印字処理開始信号を取得し、立ち上げ制御部２１０が定着装置１００の立ち上げを完了した後に、はじめて印字処理制御部２２０が印字処理を複写機１に開始させたときに、その際の立ち上げ完了信号を取得してから、印字処理開始信号を取得するまでの時間を特定して、実行エージング時間を計時する。
【００６４】
なお、エージング時間計時部２４１は、エージング動作制御部２３０からエージングの開始および終了を示す信号を取得して、実行エージング時間を計時するものとしてもよい。
【００６５】
印字中発熱制御部２４０は、立ち上げ制御部２１０により定着装置１００が立ち上げられた後に、印字処理制御部２２０が印字処理を実行開始させるときに、開始の後の初期期間に補助発熱体１１０ｂを発熱させる（図３（ｃ）のタイミングＴ３〜Ｔ４）。
【００６６】
印字中発熱制御部２４０は、エージング動作制御部２３０がエージング動作を中断させて（Ｔ＜３０）、定着ローラ１０１に温度ムラが残っていても、印字処理の開始の後の初期期間に補助発熱体１１０ｂを発熱させて、定着ローラ１０１により定着装置１００が定着処理を適切に実行できるようにする。
【００６７】
印字中発熱制御部２４０は、エージング動作がされたにもかかわらず、エージング所要時間（３０秒）までエージング動作がされず、印字開始時（タイミングＴ３）に定着装置１００に残ることとなった温度ムラの量に見合った適切な時間だけ、補助発熱体１１０ｂを発熱させ、これにより、補助電源装置３００の電力を過不足なく用いる。
【００６８】
図３（ａ）では、立ち上げ制御部２１０により定着装置１００が立ち上げられるのと同時に（タイミングＴ２）、印字処理制御部２２０が印字処理を実行開始させると、印字中発熱制御部２４０が、３０秒間、印字の初期に補助発熱体１１０ｂを発熱させることを示している。
【００６９】
このときのように、立ち上げ制御部２１０により定着装置１００の立ち上げが完了するのと同時に（タイミングＴ２）、印字処理制御部２２０が印字処理を実行開始させて、即座にエージング動作が中断されて、実行エージング時間が０の場合には（Ｔ＝０秒）、温度ムラが最大の状態で印字処理を開始することとなる（タイミングＴ２以降）。つまり、温度ムラがすべて残った状態で、印字処理が開始される。
【００７０】
かかる場合に、印字処理が開始されてから（タイミングＴ２）、補助発熱体１１０ｂを発熱させて印字処理をするうちに（タイミングＴ２以降）、発熱を停止させても、すでに定着ローラ１０１の温度ムラが解消して、補助発熱体１１０ｂが発熱せずとも、以後は定着ローラ１０１が適切に定着処理をできるようになるまでの時間（タイミングＴ４までの時間）を、以下、最大発熱必要時間（タイミングＴ２〜Ｔ４）と呼ぶこととする。
【００７１】
かかる最大発熱必要時間は、特許請求の範囲の請求項２にいう、「前記エージング動作が全く行なわれなかった場合における」、第二発熱体の発熱を行なう「予め定められた時間」の一例である。
【００７２】
印字処理制御部２２０は、実行エージング時間がかかる０秒から、増えるにしたがって、補助発熱体１１０ｂを発熱させる時間を、上述の最大発熱必要時間から短くしてゆく。
【００７３】
印字処理制御部２２０は、最大発熱必要時間のうちで、先述した割合の分、つまり、エージング所要時間（３０秒）のうちで、エージングをできなかった時間（実行不能エージング時間：３０−Ｔ秒）が占める割合の分、つまり、「最大発熱必要時間×｛実行不能エージング時間／所要エージング時間｝」＝「３０秒×｛（３０−Ｔ）／３０｝」＝３０−Ｔ秒だけ補助発熱体１１０ｂを発熱させる。
【００７４】
かかる、印字処理制御部２２０が補助発熱体１１０ｂを発熱させる時間（３０−Ｔ秒）のことを、以下、発熱必要時間と呼ぶ。
【００７５】
なお、実行不能エージング時間（３０−Ｔ秒）は、特許請求の範囲に記載した「前記計時手段により計時されたエージング動作時間（実行エージング時間）を、前記エージング動作の完了に必要な予め定められている時間（最大発熱必要時間）から差し引いた差引時間」の一例にあたる。そして、実行不能エージング時間と結果的に同じ時間となる、発熱必要時間（３０−Ｔ秒）は、「前記エージング動作が全く行なわれなかった場合における」、第二発熱体の発熱を行なう「予め定められた時間」（最大発熱必要時間）のうちにおける、「前記第二発熱体を発熱させる」差引時間（実行不能エージング時間）に対応する時間分」の一例である。
【００７６】
こうすれば、エージングにより温度ムラを解消できずに、印字処理が開始される時点で（タイミングＴ３）、残っている温度ムラの割合｛（３０−Ｔ）／３０｝の分だけ、最大発熱必要時間のうちで、印字処理制御部２２０は、補助発熱体１１０ｂを発熱させ、残っている温度ムラが補助発熱体１１０ｂを発熱させるうちになくなるまで（タイミングＴ３〜Ｔ４）、補助発熱体１１０ｂを発熱させ、なくなった後には（タイミングＴ４以後）、発熱を停止させることができ、補助電源装置３００の電力を過不足無く用いることができる。
【００７７】
発熱必要時間記憶部２４２は、発熱必要時間を記憶する。
【００７８】
印字中発熱制御部２４０は、エージング時間計時部２４１により実行エージング時間（Ｔ秒）が計時されると（図３のタイミングＴ３参照）、計時により得られた実行エージング時間（Ｔ秒）に基づいて、発熱必要時間（３０−Ｔ秒）を計算して、計算により得られた発熱必要時間を発熱必要時間記憶部２４２に記憶させる（図３のタイミングＴ３）。
【００７９】
ここで、かかる発熱必要時間は、実行エージング時間が増加するほど、その増加分だけ、短くなるものとなっている。一般に、かかる発熱必要時間であれば、エージングにより温度ムラが解消した分だけ、補助発熱体１１０ｂの発熱時間を短くできることにより、補助電源装置３００の電力の無駄使いを抑制できる。
【００８０】
図３（ｃ）では、タイミングＴ３〜タイミングＴ４の間（３０−Ｔ秒間：発熱必要時間の間）、印字中発熱制御部２４０が補助電源装置３００から定着装置１００へ電力供給をさせ、補助発熱体１１０ｂを発熱させることを示している。
【００８１】
発熱実行済み時間計時タイマ２４３は、印字中発熱制御部２４０が印字処理制御部２２０から印字処理開始信号を取得してから（タイミングＴ３）、補助発熱体１１０ｂを発熱させている間に（タイミングＴ３以降）、印字処理開始信号を取得してからの時間を計時し、つまり、印字中発熱制御部２４０が補助発熱体１１０ｂを発熱させている時間を計時する。
【００８２】
以下、かかる、発熱実行済み時間計時タイマ２４３により計時される、印字中発熱制御部２４０による補助発熱体１１０ｂの発熱が実行済みの時間のことを、発熱実行済み時間と呼ぶ。
【００８３】
印字中発熱制御部２４０は、この発熱実行済み時間が、上述した、発熱必要時間記憶部２４２に記憶された発熱必要時間に達すると、補助発熱体１１０ｂの発熱を停止させ、補助電源装置３００から定着装置１００への電力供給を停止させる（図３（ｃ）のタイミングＴ４）。
【００８４】
図３（ｂ）のタイミングＴ４以降の部分に示されるように、印字処理制御部２２０は、こうして印字中発熱制御部２４０が補助発熱体１１０ｂの発熱を停止させた後にも、印字処理が終わらずに、印字処理を続けていることがある。
【００８５】
印字中発熱制御部２４０は、このように、印字処理が続いていても、印字処理の途中で補助発熱体１１０ｂの発熱を停止させ、的確に、補助電源装置３００の電力を過不足無く利用できるようにする。
【００８６】
一方、印字中発熱制御部２４０は、主発熱体１１０ａの方は、印字処理開始信号を印字中発熱制御部２４０から取得してから（図３（ｂ）のタイミングＴ３）、印字処理完了信号を印字中発熱制御部２４０から取得するまで（図３（ｂ）のタイミングＴ５まで）、継続して発熱させ続ける（図３（ｂ）のタイミングＴ３〜Ｔ４のハッチングを参照）。
【００８７】
印字中発熱制御部２４０は、こうして印字処理の間、主発熱体１１０ａを発熱させ、この主発熱体１１０ａの発熱電力を変化させることにより、定着ローラ１０１の温度制御をする。印字中発熱制御部２４０は、温度センサ１０１ｔによる検出温度を取得して、取得された検出温度に基づいてこの温度制御を行なう。印字中発熱制御部２４０は、このように、主発熱体１１０ａの発熱電力は変化させる一方で、主発熱体１１０ａの発熱（タイミングＴ３〜Ｔ５）とともに、補助発熱体１１０ｂを発熱させる間（タイミングＴ３〜Ｔ４）、補助発熱体１１０ｂを発熱させる発熱電力を固定電力、つまり、一定値の電力とする。
【００８８】
印字中発熱制御部２４０は、補助発熱体１１０ｂを、このように、固定電力で、上述した発熱必要時間（３０−Ｔ秒）の間、発熱させる。
【００８９】
発熱必要時間（３０−Ｔ秒）は、「エージング動作の時間（実行エージング時間）に対応させて予め定められた」発熱時間となっている。かかる発熱必要時間（３０−Ｔ秒）の間の、上述の固定電力による電力供給で供給される総電力量が、特許請求の範囲記載の「エージング動作の時間（実行エージング時間）に対応させて予め定められた電力量」の一例となる。
【００９０】
印字中発熱制御部２４０は、主発熱体１１０ａのオンオフのみにより、定着ローラ１０１を定着可能温度に維持させる。
【００９１】
こうすることで、印字中発熱制御部２４０は、たとえば、補助発熱体１１０ｂの発熱電力の大きさに関知せずとも良くなり、補助発熱体１１０ｂの発熱制御を簡単にすることができる。
【００９２】
図４は、印字処理制御部２２０により定着装置１００の立ち上げ（タイミングＴ１〜Ｔ２）がされた後、印字動作１と（タイミングＴ３〜Ｔ５ａ）、印字動作２（タイミングＴ６ａ〜Ｔ８ａ）との複数回の印刷処理が順次、される場合の複写機１の動作を示すタイミングチャートである。
【００９３】
先の図３の場合には、上述の通り、印字中発熱制御部２４０が補助発熱体１１０ｂの発熱を停止させた後に（図３のタイミングＴ３以降）、印字処理制御部２２０が印字処理を続け、印字処理がこのように長い場合について説明した。これに対して、図４においては、タイミングＴ３から印字処理制御部２２０が実行させる印刷処理（印字動作１）が、Ｓ１秒しかなく、発熱必要時間（３０−Ｔ）秒（図４、最下部の矢印を参照）よりも短い（Ｓ１＜３０−Ｔ）。
【００９４】
印字中発熱制御部２４０は、かかる場合、印字処理終了信号を印字処理制御部２２０から取得したときに（タイミングＴ５ａ）、主発熱体１１０ａの発熱を停止させるのと同時に、補助発熱体１１０ｂも発熱停止させる。
【００９５】
そして、印字処理制御部２２０が次の印字処理を開始させ（図４のタイミングＴ６ａ以降、印字動作２）、印字処理制御部２２０が再度、印字処理開始信号を印字中発熱制御部２４０に与えるときに、印字中発熱制御部２４０は主発熱体１１０ａおよび補助発熱体１１０ｂの発熱を再開させる（図４のタイミングＴ６ａ以降）。
【００９６】
こうして、連続印字ではない一枚の記録紙への印字など、短い時間の印字処理がされると（印字動作１）、その印刷処理の次の印刷処理（印字動作２）でも、印字中発熱制御部２４０により補助発熱体１１０ｂを発熱させることができる。
【００９７】
発熱必要時間記憶部２４２は、いちど発熱必要時間を記憶すると、以後、印字処理が繰り返される間（印字動作１、印字動作２、…）、継続して、記憶された発熱必要時間を保持し、次に定着装置１００の立ち上げがされエージング動作制御部２３０がエージング動作を実行して印字中発熱制御部２４０により記憶内容を更新されるまで（先述のタイミングＴ３の説明を参照）、記憶された発熱必要時間を保持する。
【００９８】
発熱実行済み時間計時タイマ２４３は、発熱実行済み時間が、まだ発熱必要時間に到達しないとき（Ｓ１＜３０−Ｔ）に印字処理が終了した場合（タイミングＴ５ａ）、次に印字処理が開始されるまで（タイミングＴ６ａ）、時間の計時を一時停止する。そして、次に印字処理が開始されるときに（タイミングＴ６ａ以降）、計時を再開する。これにより、発熱実行済み時間計時タイマ２４３は、図４の場合のように、印字処理制御部２２０が複数回、印字処理（印字動作１、印字動作２、…）させる際に、印字中発熱制御部２４０が補助発熱体１１０ｂを発熱させた時間の累積時間（累積発熱実行済み時間）を記憶する。
【００９９】
印字中発熱制御部２４０は、発熱実行済み時間計時タイマ２４３が記憶する累積発熱実行済み時間が、発熱必要時間記憶部２４２に記憶された発熱必要時間を越えるまで、複数回の印字処理にわたり（印字動作１、印字動作２…）、印字処理がされる間は継続して、補助発熱体１１０ｂを発熱させる（図４における補助電源の電力供給を示すハッチングを参照）。
【０１００】
図４のタイミングＴ７ａは、印字処理制御部２２０がさせる印字動作２の印字処理がＳ２秒続いた後のタイミングである。なお、この印字動作２の印字処理は、図示するように、このタイミングＴ７ａの後の、タイミングＴ８ａで終了する。
【０１０１】
このタイミングＴ７ａにおいて、発熱実行済み時間計時タイマ２４３は、Ｓ１＋Ｓ２秒を累積発熱実行済み時間として記憶している。
【０１０２】
かかるタイミングＴ７ａは、累積発熱実行済み時間（Ｓ１＋Ｓ２）秒が、発熱必要時間記憶部２４２に記憶された発熱必要時間（３０−Ｔ）秒に達したタイミングを示したものである。
【０１０３】
印字中発熱制御部２４０は、こうして、累積発熱実行済み時間（Ｓ１＋Ｓ２）秒が、発熱必要時間（３０−Ｔ）秒に達した場合に、補助発熱体１１０ｂの発熱を停止させる（タイミングＴ７ａ）。
【０１０４】
印字中発熱制御部２４０は、このように、２回目以降の印字処理の途中にも、累積発熱実行済み時間（Ｓ１＋Ｓ２）秒が、発熱必要時間（３０−Ｔ）秒に達すれば、印字処理の途中であっても、補助発熱体１１０ｂの発熱を停止させる。
【０１０５】
最後に、補正部２４２ｃ（図２）の機能について説明する。
【０１０６】
補正部２４２ｃは、上述した発熱必要時間記憶部２４２に記憶された発熱必要時間に、所定の追加時間（たとえば１０秒）を追加する追加補正を行なう。
【０１０７】
補助発熱体１１０ｂの発熱が停止されると（図３のタイミングＴ４、図４のタイミングＴ７ａ参照）、その後の印字処理において（図３のタイミングＴ４以降、図４のタイミングＴ７ａ以降）、印字中発熱制御部２４０による定着ローラ１０１の前述の温度制御での制御目標温度より、定着ローラ１０１の温度が低下する、定着ローラ１０１の温度低下状態が生じることがある。
【０１０８】
かかる温度低下状態は、たとえば、何らかの理由により、商用電源が主発熱体１１０ａへ供給する供給電圧の電圧レベルが低下している場合や、複写機１の動作保障温度よりも低い室温等の環境で複写機１が動作されている等により、定着ローラ１０１の周囲温度が低い場合や、補助電源装置３００のキャパシタ装置が劣化して補助電源装置３００の出力が低下している場合などに生じる。
【０１０９】
補正部２４２ｃは、かかる温度低下状態を検知する機能を有する。補正部２４２ｃは、たとえば、印字中発熱制御部２４０による定着ローラ１０１の前述の温度制御での制御目標温度よりも予め定められた許容低下幅より大きく、定着ローラ１０１の温度が低下した場合に、かかる温度低下状態を検知するものとする。
【０１１０】
補正部２４２ｃは、温度低下状態を検知した場合に、発熱必要時間記憶部２４２に記憶された発熱必要時間に、所定の追加時間（たとえば１０秒）を追加する追加補正を行なう。
【０１１１】
かかる追加補正が行なわれることで、商用電源の電圧レベル低下等のイレギュラーな場合に、救済措置をとって、複写機１に適切な動作をさせることができる。この点については、図５のステップＳｂ１、Ｓｂ２ｂを参照して、後で詳しく説明する。
【０１１２】
図５は、複写機１の動作を示すフローチャートである。
【０１１３】
ステップＳ１では、複写機が省電力モードから通常の運転モードに復帰する等するときに、立ち上げ制御部２１０が、定着装置１００を立ち上げる（図３、図４のタイミングＴ１〜Ｔ２）。
【０１１４】
ステップＳ２では、立ち上げ制御部２１０によるステップＳ１での立ち上げ処理が完了した後に（図３、図４のタイミングＴ２）、エージング動作制御部２３０が、定着装置１００にエージング動作を行なわせる（図３、図４のタイミングＴ２〜Ｔ３）。
【０１１５】
前述の通り、ステップＳ２でエージング動作制御部２３０が定着装置１００にさせるこのエージング動作は、印字処理制御部２２０が印字処理を開始し、または、エージング所要時間が経過すると、終了する。
【０１１６】
エージング時間計時部２４１は、このステップＳ２で、エージング動作制御部２３０がエージング動作を停止したときに、実行エージング時間Ｔ秒（図３、図４参照）を特定する。
【０１１７】
ステップＳ３では、印字中発熱制御部２４０が、エージング時間計時部２４１により特定された実行エージング時間Ｔ秒に基づいて、発熱必要時間３０−Ｔ秒を計算し、計算により求めて発熱必要時間（３０−Ｔ秒）を、発熱必要時間記憶部２４２に記憶させる（図３、図４のタイミングＴ３）。
【０１１８】
ステップＳ４では、印字中発熱制御部２４０が、発熱実行済み時間計時タイマをリセットする（図３、図４のタイミングＴ３）。
【０１１９】
以上の準備の後に、ステップＳ５より後の処理で、複写機１は、印字処理を実行する。
【０１２０】
複写機１は、この複写機１がスリープモードにされる等で、印字処理がされなくなり、次に印字処理がされるときには再び定着装置１００の立ち上げ（ステップＳ１）がされるというときまで（ステップＳ５：ＹＥＳ）、ステップＳ６以降の処理を繰り返しループ実行して（ステップＳ５：ＮＯ）、印字処理を実行する。
【０１２１】
ステップＳ６では、印字中発熱制御部２４０が、印字処理制御部２２０からの印字処理開始信号、印字処理終了信号に基づいて、印字処理が実行中か否かを判定する。
【０１２２】
ここで、印字中発熱制御部２４０は、印字処理制御部２２０が印字処理を開始して、エージング動作制御部２３０がエージング動作を停止させて、ステップＳ２の処理が終了した直後に、このステップＳ６を実行する際には（実行エージング時間Ｔ秒＜エージング所要時間３０秒のとき）、もちろんのこと印字処理中であることを判定する（ステップＳ６：ＹＥＳ）。
【０１２３】
ステップＳ７では、印字中発熱制御部２４０が、発熱実行済み時間計時タイマが計時する発熱実行済み時間が、発熱必要時間記憶部２４２が記憶する発熱必要時間を越えたか否かを判定する。
【０１２４】
ステップＳａ１では、印字中発熱制御部２４０が、発熱実行済み時間が発熱必要時間より短いときに（ステップＳ７：ＹＥＳ）、補助発熱体１１０ｂを発熱させる。
【０１２５】
ステップＳａ２では、こうして補助発熱体１１０ｂが発熱する状態で、印字処理制御部２２０が印字処理を実行する（図３のタイミングＴ３〜Ｔ４、図４のタイミングＴ３〜Ｔ５ａ，Ｔ６ａ〜Ｔ７ａ）。
【０１２６】
ステップＳａ３では、発熱実行済み時間計時タイマ２４３が、時間経過に応じて、その記憶内容を更新する。
【０１２７】
こうして、印字中発熱制御部２４０は、印字処理制御部２２０が印字処理を開始して、エージング動作制御部２３０がエージング動作を中断させてステップＳ２の処理が終了して、ステップＳ５：ＮＯ、ステップＳ６：ＹＥＳ、ステップＳ７：ＹＥＳ、ステップＳａ１、ステップＳａ２と処理がすすみ、制御部２００の制御により、補助発熱体１１０ｂが発熱された状態で印字処理がされる。
【０１２８】
以下、複写機１は、ステップＳ５：ＮＯ、ステップＳ６：ＹＥＳ、ステップＳ７：ＹＥＳ、ステップＳａ１〜Ｓａ３の動作を繰り返して、印字中発熱制御部２４０が補助発熱体１１０ｂを発熱させた状態で（ステップＳａ１）、印字処理制御部２２０が印字処理（ステップＳａ２）を行ない（図３のタイミングＴ３〜Ｔ４）、発熱実行済み時間計時タイマ２４３が計時する発熱実行済み時間を先に進める。
【０１２９】
こうして、ステップＳ５：ＮＯ、ステップＳ６：ＹＥＳ、ステップＳ７：ＹＥＳ、ステップＳａ１〜Ｓａ３の処理を繰り返しているうちに、発熱実行済み時間が発熱必要時間を超えると（ステップＳ７：ＮＯ、図３のタイミングＴ４）、印字中発熱制御部２４０は、補助発熱体１１０ｂを発熱させること（ステップＳａ１）を行なわないようになる。
【０１３０】
そして、こうして補助発熱体１１０ｂの発熱が停止された場合（ステップＳ７：ＮＯ）、ステップＳｂ１で、補正部２４２ｃが、停止の後に定着ローラ１０１が温度低下状態にならないか否かを検知する。
【０１３１】
ステップＳｂ２ａでは、温度低下状態が生じない場合に（ステップＳｂ１：ＮＯ）、印字処理制御部２２０が、印字処理の残りを実行して、この印字処理を完了させる（図３のタイミングＴ４〜Ｔ５、図４のタイミングＴ７ａ〜Ｔ８ａ）。
【０１３２】
なお、ステップＳｂ１では、印字処理制御部２２０が印字処理をある程度、進め、印字処理が進むうちに、定着ローラ１０１が温度低下状態にならないかどうかを、補正部２４２ｃが監視し、ある程度の時間、温度低下状態にならなければ、ＮＯを判定して、ステップＳｂ２ａの処理を印字処理制御部２２０に実行させることとしてもよい。
【０１３３】
なお、図４に示した場合のように、発熱実行済み時間が発熱必要時間を超える前に（ステップＳ７：ＹＥＳ）、印字処理が完了することもある（ステップＳ６：ＮＯ、図４のタイミングＴ５ａ）。この場合、複写機１は、ユーザが次の印字処理を印字処理制御部２２０に実行させるまで待機し（タイミングＴ５ａ〜Ｔ６ａ、ステップＳ５：ＮＯ、ステップＳ６：ＮＯ）、次に実行させるときに、再び、印字中発熱制御部２４０が補助発熱体１１０ｂを発熱した状態で（ステップＳ７：ＹＥＳ、ステップＳａ１）、印字処理制御部２２０が印字処理を実行する（ステップＳａ２、図４のタイミングＴ６ａ〜Ｔ７ａ）。そして、印字処理を繰り返すうちに、発熱実行済み時間が発熱必要時間を超えると（図４のタイミングＴ７ａ、ステップＳ７：ＮＯ）、印字中発熱制御部２４０が、補助発熱体１１０ｂの発熱を停止させる。
【０１３４】
最後に、発熱実行済み時間が発熱必要時間を超えて（ステップＳ７：ＮＯ）、印字中発熱制御部２４０が補助発熱体１１０ｂの発熱が停止させたときに（図３のタイミングＴ４、図４のタイミングＴ７ａ）、補正部２４２ｃにより定着ローラ１０１の温度低下状態が検知された場合（ステップＳｂ１：ＹＥＳ）の複写機１の処理（ステップＳｂ２ｂ）について説明する。
【０１３５】
ステップＳｂ２ｂでは、補正部２４２ｃが、定着ローラ１０１の温度低下状態が生じ、これが検知された場合に（ステップＳｂ１：ＹＥＳ）、発熱必要時間記憶部２４２に記憶された発熱必要時間に、上述した追加時間τ＝１０（秒）を加える。
【０１３６】
これにより、発熱必要時間がおよそ追加時間分（１０秒）だけ、発熱実行済み時間よりも大きな値となり、このことを印字中発熱制御部２４０がステップＳ７で検知して（ＹＥＳ判定）、印字中発熱制御部２４０が補助発熱体１１０ｂの発熱を再び行なうようになり（ステップＳａ１）、その状態で、印字処理制御部２２０が印字処理をさせる（ステップＳａ２）。これにより、図３のタイミングＴ４や、図４のタイミングＴ７ａの印字中発熱制御部２４０が補助発熱体１１０ｂの発熱を停止させるタイミングが、その追加時間分だけ、印刷処理の終了タイミングＴ５やＴ８ａの側へと移動して、遅くなる。
【０１３７】
なお、こうして補正部２４２ｃが追加時間を発熱必要時間に加え（ステップＳｂ２ｂ）、追加時間が加えられた発熱必要時間を、再び発熱実行済み時間が越えるときに（ステップＳ７：ＮＯ）、再び定着ローラ１０１で温度低下状態が生じると（ステップＳｂ１：ＹＥＳ）、補正部２４２ｃは、再度、追加時間τ＝１０（秒）を発熱必要時間記憶部２４２に記憶された発熱必要時間に追加させて（ステップＳｂ２ｂ）、さらに、図３のタイミングＴ４や、図４のタイミングＴ７ａのタイミングを、追加時間分だけ遅らせ、補助発熱体１１０ｂを長く発熱させる。
【０１３８】
こうして、補正部２４２ｃは、印字中発熱制御部２４０が補助発熱体１１０ｂの発熱を停止させて（ステップＳ７：ＮＯ）、温度低下状態が生じる限り、繰り返し追加時間を発熱必要時間に追加して、補助発熱体１１０ｂの発熱停止タイミングを順次、遅らせる。
【０１３９】
なお、こうして、補助発熱体１１０ｂの発熱停止タイミングを遅らせるうちに、補助電源装置３００の残り蓄電電力がなくなった場合、印字処理制御部２２０が、定着装置１００に記録紙Ｐが通紙される間隔が長くなるように、搬送経路１２に給紙装置１１から記録紙Ｐを搬入させて画像形成をする間隔を長くさせるものとしてもよい。こうすれば、単位時間当たりに画像形成をできる記録紙の枚数は低下し、つまり、複写機１の生産性は低下するが、補助電源装置３００の電力切れにより定着処理の品質が低下することを抑制できる。
【０１４０】
この複写機１では、補正部２４２ｃにより、補助電源装置３００に残り電力がある間は、発熱必要時間に追加時間を追加して、定着ローラ１０１の温度の落ち込みを回避させることにより、かる生産性の低下が生じることを抑制できる。
【０１４１】
なお、補正部２４２ｃは、補助発熱体１１０ｂの発熱が停止したときに、単にこのように追加時間の追加を行なうだけであるので、常に温度低下状態の発生を監視してリアルタイム処理により発熱体１１０ａ，１１０ｂの温度制御を行なう等の複雑な処理をする必要はなく、簡単な制御により、生産性の低下や、定着品質の劣化抑制をできる。
【０１４２】
以下、他の実施形態について説明する。
【０１４３】
（Ａ）補正部２４２ｃは、補助電源装置３００の蓄電量を検知して、検知された蓄電予め量が予め定められた許容電力量より少ない場合には、追加時間τを発熱必要時間記憶部２４２に追加させないものとしてもよい。また、補正部２４２ｃは、ステップＳｂ２ｂにおいて追加時間τの追加をできる回数が予め定められた回数までに制限されていてもよい。この制限回数までの追加がされると、上述した許容電力量まで補助電源装置３００の蓄電量が低下するように、その制限回数を設定するものとしてもよい。
【０１４４】
なお、ステップＳｂ２ｂにおける追加処理は、完全に省略して、発熱必要時間記憶部２４２の発熱必要時間は、ステップＳ３で記憶された値から変化されないものとしてもよい。
【０１４５】
（Ｂ）印字中発熱制御部２４０は、補助発熱体１１０ｂを発熱させる電力を変化させることがあってもよい。
【０１４６】
（Ｃ）印字中発熱制御部２４０は、定着装置１００が立ち上げられてから、はじめての印字処理のときにのみ（図４のタイミングＴ３〜Ｔ５ａ）、補助発熱体１１０ｂを発熱させるものとしてもよく、２度目以降の印字処理では（図４のタイミングＴ６ａ〜Ｔ８ａ等）、ステップＳ６でＹＥＳを判定した直後に、すぐにステップＳｂ２ａの処理に移るものとしてもよい。
【０１４７】
（Ｄ）エージング所要時間と、最大発熱必要時間とは上述の説明では、同じ３０秒であるものとして説明を行なったが、異なっていてもよい。この場合にも、上述の場合と同様、実行エージング時間（Ｔ秒）に対して、発熱必要時間を「最大発熱必要時間×（エージング所要時間−実行エージング時間）／エージング所要時間」の式により求めるものとしてもよい。
【図面の簡単な説明】
【０１４８】
【図１】複写機の全体を示した図である。
【図２】定着装置に関係する構成を中心に示した複写機のブロック図である。
【図３】複写機の動作を示すタイミングチャートである。
【図４】複数回の印刷処理が実行される場合の複写機の動作を示すタイミングチャートである。
【図５】複写機の動作を示すフローチャートである。
【符号の説明】
【０１４９】
Ｐ  記録紙
ＳｗＡ  スイッチ
ＳｗＢ  スイッチ
１  複写機（画像形成装置）
１１  給紙装置
１２  記録紙搬送経路
１３  画像形成部
１４  排出部
１５  操作パネル
１００  定着装置（定着装置）
１０１  定着ローラ（定着ローラ）
１０１ｄ  駆動部
１０１ｔ  温度センサ（温度検出手段）
１１０ａ  主発熱体（第一発熱体）
１１０ｂ  補助発熱体（第二発熱体）
２００  制御部
２１０  立ち上げ制御部
２２０  印字処理制御部
２３０  エージング動作制御部（エージング動作制御手段）
２４０  印字中発熱制御部（発熱制御手段）
２４１  エージング時間計時部（計時手段）
２４２  発熱必要時間記憶部
２４２ｃ  補正部
２４３  発熱実行済み時間計時タイマ
３００  補助電源装置（蓄電装置）
【図１】
2008122653.tif 000003
【図２】
2008122653.tif 000004
【図３】
2008122653.tif 000005
【図４】
2008122653.tif 000006
【図５】
2008122653.tif 000007